(57)【特許請求の範囲】
【請求項１】
IPv4ネットワークに属する第1の端末装置と、IPv6ネットワークに属する第2の端末装置との間でIPパケットを中継する通信装置において、
前記第1の通信端末の端末名と、前記第1の通信端末に割り当てられるIPv6アドレスおよびIPv4アドレスとを対応付けて保持するアドレス変換テーブルを有し、
前記第1の端末装置から、前記第1の端末装置を前記通信装置に登録することを要求する、前記第1の端末装置の端末名を含む登録要求を受信したときに、前記第1の通信端末にIPv6アドレスとIPv4アドレスを割り当てて、当該IPｖ6アドレスとIPｖ4アドレスとを前記端末名に対応付けて前記アドレス変換テーブルに保持し、
前記第1の端末装置から、前記第2の端末装置へ向けて送信されたIPv4パケットを受信したときに、前記IPv4パケットの送信元IPv4アドレスを前記アドレス変換テーブルに登録したIPv6アドレスに変換して、当該IPv6アドレスを送信元アドレスとして含むIPv6パケットをIPv6ネットワークに送信し、
前記第2の端末装置から、前記第1の端末装置へ向けて送信されたIPv6パケットを受信したときに、当該IPv6パケットの宛先アドレスであるIPv6アドレスに対応するIPv4アドレスが前記アドレス変換テーブルに登録されているかを調べ、
登録されている場合には当該登録されているIPv4アドレスを取得し、
登録されていない場合には、前記アドレス変換テーブルに登録されている端末名を用いてDNSサーバに前記第1の端末装置のIPv4アドレスを問い合わせてIPv4アドレスを取得し、
前記IPv6パケットの宛先アドレスを前記アドレス変換テーブル又は前記DNSサーバから取得したIPv4アドレスに変換して、当該IPv4アドレスを宛先アドレスとして含むIPv4パケットをIPv4ネットワークに送信することを特徴とする通信装置。
【請求項２】
請求項１に記載の通信装置において、
前記第1の端末装置に割り当てられるIPv4アドレスは、DHCPサーバにより一時的に割り当てられるアドレスであることを特徴とする通信装置。
【請求項３】
請求項1に記載の通信装置において、
前記DNSサーバから取得したIPv4アドレスを、前記第1の端末装置のIPv6アドレスに対応つけて前記アドレス変換テーブルに保持することを特徴とする通信装置。
【請求項４】
請求項1に記載の通信装置において、
前記第1の端末装置からの登録要求メッセージには前記第1の端末装置のユーザを識別する情報であるユーザ名も含まれ、前記アドレス変換テーブルには前記ユーザ名も対応付けて保持することを特徴とする通信装置。
【請求項５】
IPv4ネットワークに属する第1の端末装置と、IPv6ネットワークに属する第2の端末装置との間の通信を仲介する通信装置において、
前記第1の通信端末の端末名と、前記第1の通信端末に割り当てられるIPv6アドレスとを対応付けて保持し、
前記第2の端末装置から、前記第1の端末装置へ向けて送信されたIPv6パケットを受信したときに、前記IPv6アドレスに対応付けて保持した端末名を用いてDNSサーバに前記第1の端末装置のIPv4アドレスを問い合わせてIPv4アドレスを取得し、前記IPv6パケットの宛先アドレスを前記DNSサーバから取得したIPv4アドレスに変換して、当該IPv4アドレスを宛先アドレスとして含むIPv4パケットをIPv4ネットワークに送信することを特徴とする通信装置。
【請求項６】
請求項５に記載の通信装置において、
前記第1の端末装置から当該第1の端末装置の端末名を受信すると、前記第1の端末装置にIPv6アドレスを割り当て、当該割り当てたIPv6アドレスと前記端末名とを対応付けて保持することを特徴とする通信装置。
【発明の詳細な説明】
【０００１】
【発明の属する技術分野】
本発明は、ＩＰｖ６（Internet Protocol version 6）網をＩＰｖ４網に接続する技術に関する。
【０００２】
【従来の技術】
近年、インターネットの基盤技術であるＩＰ（Internet Protocol）を用いた音声、データ、画像等の伝送技術が普及してきている。例えば、現在では、ＩＰバージョン４（ＩＰｖ４）が一般的に用いられ、主流となっている。これは、ＩＰｖ４というアドレス空間（３２ビット）によって、ネットワークに接続されているコンピュータを区別するようにしたものである。上記ＩＰｖ４を用いたネットワークとして、例えば、ダイヤルアップ接続網がある。ＩＰｖ４端末が上記ダイヤルアップ接続網にアクセスする際、そのＩＰｖ４端末に対して一時的にＩＰｖ４アドレスを付与するものである。
【０００３】
昨今では、インターネットの爆発的な普及に伴って、コンピュータ以外の各種機器（携帯端末、家電等）をネットワークにつなげて、上記ＩＰ通信を行いたいとの要望がある。しかし、上述のＩＰｖ４では、アドレスに限られ、その枯渇が問題となってきている。そこで、昨今、膨大なアドレス空間（１２８ビット）をもつ新バージョン、ＩＰｖ６への移行が始まりつつある。
【０００４】
【発明が解決しようとする課題】
上記従来技術では、上記IPｖ４アドレスが接続毎に異なるため、ＩＰｖ６網をＩＰｖ４網に接続できない。
【０００５】
本発明の目的は、ＩＰｖ６網をＩＰｖ４網に接続することのできる通信装置を提供することにある。
【０００６】
【課題を解決するための手段】
上記課題を解決するために、本発明による通信装置は、ＩＰｖ６網と接続される第１のインタフェースと、ＩＰｖ４網と接続される第２のインタフェースと、ＩＰｖ６網から上記第１のインタフェースを介してＩＰｖ６パケットを受信すると、該ＩＰｖ６パケットのヘッダ意情報と予め登録された仮想ＩＰ６アドレスに基づいて宛先を特定し、該宛先をヘッダに含むＩＰｖ４パケットに変換した後、該ＩＰｖ４パケットの上記ＩＰｖ４網への出力を制御する制御部とを有する。
【０００７】
【発明の実施の形態】
以下、本発明の実施形態について、図面を参照して説明する。
【０００８】
図１は、本発明による通信システム１の構成を示す図である。
【０００９】
通信システム１は、音楽、映像等、様々なコンテンツデータを記憶する複数のコンテンツサーバ（１０−１、１０−２、…）と、上記コンテンツサーバ１０と接続されるＩＰｖ６網（ＩＰｖ６グローバル網等）１１と、上記各コンテンツサーバ１０により提供されるコンテンツの概要をリストとして一括管理し、上記リストの内容を各ユーザ端末（固定端末、携帯用の無線端末等）宛に配信するコンテンツ管理サーバ１２と、上記ユーザ端末と接続されるＩＰｖ４網（ＩＰｖ４ダイヤルアップアクセス網、ＩＰｖ４プライベート企業網等）１４と、上記ユーザ端末に付与される端末名からＩＰｖ４アドレスを検索して、ユーザ端末を特定するＤＮＳ（Domain Name System）サーバ１５と、上記ＩＰｖ６網１１及び上記ＩＰｖ４網１４を収容する通信装置（ルータ等）１３等から構成されている。
【００１０】
詳細を後述するが、本実施例では、通信装置１３上で、予めユーザ端末毎に仮想ＩＰｖ６アドレスを割当て、コンテンツサーバからコンテンツデータ（ＩＰｖ６パケット）を受信すると、そのＩＰｖ６アドレスから宛先ユーザ端末を特定し、ＩＰｖ４パケットに変換した後、上記ユーザ端末１６宛に送信するようにしたものである。
【００１１】
図２は、コンテンツサーバ１０の構成を示すブロック図である。
【００１２】
コンテンツサーバ１０は、プロセッサ２０と、プロセッサ２０が実行する、各種制御プログラムを記憶するプログラム記憶部２１と、音楽、映像等、様々なコンテンツデータ及びそのコンテンツ情報を記憶するコンテンツデータベース２２と、上記コンテンツデータの配信先を記憶するコンテンツ宛先リスト２３と、ＩＰｖ６網インタフェース２４と、コンテンツサーバ１０の管理者によって入力されるコンテンツデータを受信するための外部インタフェース２５等を備えている。
【００１３】
図３は、コンテンツデータベース２２の構成を示す図である。
【００１４】
コンテンツデータベース２２は、コンテンツ毎に一意的に割り当てられるコンテンツＮｏ．３００と、コンテンツ名３０１と、コンテンツ概要を表すコンテンツ紹介３０２と、月毎のコンテンツ配信料金を表す価格３０３と、コンテンツデータ３０４等を記憶する各エリアから構成されている。
【００１５】
図４は、コンテンツ宛先リスト２３の構成を示す図である。
【００１６】
コンテンツ宛先リスト２３は、コンテンツデータの配信先となる仮想ＩＰｖ６アドレス（３ｆｆｅ：：１、…）を記憶する。ここで、上記仮想ＩＰｖ６アドレス（３ｆｆｅ：：１）は、１６進数で表された仮想ＩＰｖ６アドレス（３ｆｆｅ：００００：００００：００００：００００：００００：００００：０００１）の省略形である。
【００１７】
本実施例におけるコンテンツサーバ１０は、コンテンツデータベース２２に記憶されているコンテンツ名３０１、コンテンツ紹介３０２、価格３０３等のコンテンツ情報をコンテンツ管理サーバ１２に送信する。又、コンテンツサーバ１０は、ユーザ端末１６からコンテンツ配信要求を受けると、コンテンツデータベース２２からコンテンツデータ３０４を読み出して、上記要求元のユーザ端末１６に配信する。
【００１８】
図５は、コンテンツ管理サーバ１２の構成を示すブロック図である。
【００１９】
コンテンツ管理サーバ１２は、プロセッサ５０と、プロセッサ５０が実行する、各種制御プログラムを記憶するプログラム記憶部５１と、各コンテンツサーバ（１０−１、１０−２、…）から送られてきた上記コンテンツ情報を一括管理するコンテンツ情報管理データベース５２と、ＩＰｖ６網インタフェース５３等を備えている。
【００２０】
図６は、コンテンツ情報管理データベース５２の構成を示す図であり、図３と同一要素には、同一符号を付してある。
【００２１】
コンテンツ情報管理データベース５２は、コンテンツサーバ１０の名称（ホスト名等）を表すコンテンツサーバ名６００と、コンテンツ毎に一意的に割り当てられるコンテンツＮｏ．３００と、コンテンツのタイトルを表すコンテンツ名３０１と、コンテンツの概要を表すコンテンツ紹介３０２と、月毎のコンテンツ配信料金を表す価格３０３等を記憶する各エリアから構成されている。
【００２２】
本実施例におけるコンテンツ管理サーバ１２は、各コンテンツサーバ（１０−１、１０−２、…）からコンテンツ情報を受信すると、上記コンテンツサーバ名及びコンテンツ情報をコンテンツ管理情報データベース５２に格納する。又、コンテンツ管理サーバ１２は、ユーザ端末１６からコンテンツ情報の閲覧要求を受けると、コンテンツ情報管理データベース５２から各コンテンツサーバのコンテンツ情報を読み出して、上記要求元のユーザ端末１６宛に送信する。これにより、ユーザは、上記ユーザ端末１６からコンテンツ情報の閲覧が可能となる。
【００２３】
図７は、通信装置１３の構成を示すブロック図である。
【００２４】
通信装置１３は、複数のＩＰｖ６網インタフェース（７０−１、７０−２、…）と、複数のＩＰｖ４網インタフェース（７１−１、７１−２、…）と、上記インタフェースの何れかから受信したパケット（例えば、ＩＰｖ６パケット７２１）を、そのヘッダ情報に基づいて何れかのインタフェースに出力するルーティング部７２と、ＩＰｖ４―ＩＰｖ６プロトコル変換、ルーティング等の制御を行う制御部７３等を備えている。上記制御部７３は、プロセッサ７１０と、プロセッサ７１０が実行するＩＰｖ６−ＩＰｖ４プロトコル変換、ルーティング等の制御プログラムを記憶するプログラム記憶メモリ７１１と、プロセッサ７１０がプロトコル変換時に参照するアドレス変換テーブル７１２と、ユーザ毎に、コンテンツ配信サービスを受けているコンテンツサーバ名とコンテンツＮｏ．を記憶するコンテンツ登録テーブル７１３等を備えている。
【００２５】
図８は、アドレス変換テーブル７１２の構成を示す図である。
【００２６】
アドレス変換テーブル７１２は、ユーザ名８００と、端末名８０１と、コンテンツデータのユーザ端末１６への配信を可能とするために、上記ユーザ端末１６毎に固定的に割当てられる仮想ＩＰｖ６アドレス８０３と、ユーザ端末１６がＩＰｖ４網１４にアクセスした時に、そのユーザ端末１６に対して一時的に割当てられるＩＰｖ４アドレス８０２等を記憶する各エリアから構成されている。ここで、明示していないが、上記ＩＰｖ４アドレスは、例えば、DHCP（Dynamic Host Configuration Protocol）サーバから取得する。なお、上記ユーザ名８００と端末名８０１は、上記アドレス変換テーブル７１２とは別のテーブルに記憶させても良い。
【００２７】
図９は、コンテンツ登録テーブル７１３の構成を示す図である。
【００２８】
コンテンツ登録テーブル７１３は、ユーザ毎に作成され（７１３−１、７１３−２、…）、コンテンツ配信サービスを受けているコンテンツサーバ名９１０とコンテンツＮｏ．９１１が記憶されている。
【００２９】
本実施例における通信装置１３は、コンテンツサーバ１０からのコンテンツデータ（IPｖ６パケット）を受信すると、予め上記アドレス変換テーブル７１２に登録された仮想IPｖ６アドレスから宛先ユーザ端末（ＩＰｖ４アドレス）を特定し、ＩＰｖ４パケットに変換した後、上記ユーザ端末１６宛に送信する。
【００３０】
以下、本発明による情報提供方法、通信装置及び通信システムの動作について詳細に説明する。
【００３１】
図１０は、ユーザ名８００及び端末名８０１をアドレス変換テーブル７１２に登録する手順を示す図である。
【００３２】
各ユーザは、通信システム１を利用してコンテンツ配信サービスを受ける前に、ユーザ端末１６からユーザ名（例えば、ユーザ１）と端末名（例えば、User1.Telecom.com）を入力する（ユーザ名、端末名登録要求）。上記要求は、ＩＰｖ４パケットにより、ＩＰｖ４網１４を介して通信装置１３に送信される（ステップ１０００）。通信装置１３に備える制御部７３は、ＩＰｖ４網インタフェース７１を介して、上記ＩＰｖ４パケットを受信すると、上記ユーザ名と端末名をユーザ情報管理データベース７１２のユーザ名８００、端末名８０１の各エリアに登録する（図８、ステップ１００１）。この時、制御部７３によって、上記登録要求元のユーザ端末１６に対して、仮想ＩＰｖ６アドレス（例えば、３ｆｆｅ：：１）が割当てられる（ステップ１００２）。又、制御部７３は、例えば、上述したDHCPサーバから一時的なＩＰｖ４アドレス（例えば、１０．０．０．１）を取得し、ユーザ情報管理データベース７１２のＩＰｖ４アドレス８０３のエリアに登録する（ステップ１００３）。端末名の登録が完了すると（図１）、制御部７３は、その端末名を登録要求元のユーザ端末に通知する（ステップ１００４）。以下、上記ユーザを登録ユーザと称する。
【００３３】
図１１は、コンテンツ情報をユーザ端末１６に送信する手順を示す図である。
【００３４】
コンテンツサーバ１０に備えるプロセッサ２０は、コンテンツデータベース２２（図３）からコンテンツＮｏ．３００（例えば、１）、コンテンツ名３０１（Ｊｐｏｐランキング）、コンテンツ紹介３０２（日本Ｍｕｓｉｃランキング）及び価格３０３（５００円/月）等のコンテンツ情報を読み出して、コンテンツ管理サーバ１２に送信する（ステップ１１００）。コンテンツ管理サーバ１２に備えるプロセッサ５０は、ＩＰｖ６網インタフェース５３を介して上記コンテンツ情報を受信すると、そのコンテンツ情報のそれぞれをコンテンツ情報管理データベース５２のコンテンツＮｏ．３０１、コンテンツ紹介３０２、価格３０３の各エリアに格納する（図６、ステップ１１０１）。次に、登録ユーザは、ユーザ端末１６からコンテンツ情報の閲覧を要求する（コンテンツ情報閲覧要求）。上記要求は、ＩＰｖ４パケットにより、ＩＰｖ４網１４を介して通信装置１３に送信される（ステップ１１０２）。次に、通信装置１３に備える制御部７３は、ＩＰｖ４網インタフェース７１を介して、上記ＩＰｖ４パケットを受信すると、勧告ＲＦＣ２７６６に開示のプロトコル変換（ＩＰｖ４→ＩＰｖ６）を行い（ステップ１１０３）、ＩＰｖ６パケットをコンテンツ管理サーバ１２に送信する（ステップ１１０４）。コンテンツ管理サーバ１２に備えるプロセッサ５０は、上記コンテンツ情報閲覧要求を受けると、コンテンツ情報管理データベース５２からコンテンツサーバ名６００、コンテンツＮｏ．３００、コンテンツ名３０１、コンテンツ紹介３０２及び価格３０３等の各コンテンツサーバのコンテンツ情報（図６）を読み出して、ＩＰｖ６パケットにより通信装置１３に送信する（ステップ１１０５）。通信装置１３に備える制御部７３は、ＩＰｖ６網インタフェース７０を介して上記ＩＰｖ６パケットを受信すると、後述のプロトコル変換（ＩＰｖ６→ＩＰｖ４）を行い（ステップ１１０６）、ＩＰｖ４パケットを閲覧要求元のユーザ端末宛に送信する（ステップ１１０７）。これにより、ユーザは、コンテンツ情報を閲覧可能となる。
【００３５】
図１２は、登録ユーザが、コンテンツ配信を受ける手順を示す図である。
【００３６】
登録ユーザ（例えば、ユーザ１）は、ユーザ端末１６から、所望のコンテンツを有するコンテンツサーバ名（例えば、コンテンツサーバＡ）とコンテンツＮｏ．（例えば、１）を入力する（コンテンツ受信要求）。上記要求は、ＩＰｖ４パケットにより、ＩＰｖ４網１４を介して通信装置１３に送信される（ステップ１２００）。通信装置１３に備える制御部７３は、ＩＰｖ４網インタフェース７１を介して上記ＩＰｖ４パケットを受信すると、上記コンテンツサーバ名及びコンテンツＮｏ．をコンテンツ登録テーブル（図９、例えば、７１３−１）のサーバ名９１０、コンテンツＮｏ．９１１の各エリアに登録する（ステップ１２０１）。次に、制御部７３は、アドレス変換テーブル７１２から、コンテンツデータの配信先となる仮想ＩＰｖ６アドレス８０２（図８、３ｆｆｅ：：１）を読み出して、勧告ＲＦＣ２７６６に開示のプロトコル変換（ＩＰｖ４→ＩＰｖ６）を行い（ステップ１２０２）、コンテンツサーバＡ宛にＩＰｖ６パケットを送信する（ステップ１２０３）。コンテンツサーバ１０に備えるプロセッサ２０は、ＩＰｖ６網インタフェース２４を介してＩＰｖ６パケットを受信すると、仮想ＩＰｖ６アドレス（３ｆｆｅ：：１）をコンテンツ宛先リスト２３に登録する（図４、ステップ１２０４）。又、プロセッサ２０は、上記コンテンツＮｏ．１に基づいてコンテンツデータベース２２を検索して、該当のコンテンツデータを読み出し、上記仮想ＩＰｖ６アドレス宛に送信する（ステップ１２０５）。通信装置１３に備える制御部７３は、ＩＰｖ６網インタフェース７０を介して上記ＩＰｖ６パケットを受信すると、後述のプロトコル変換（ＩＰｖ６→ＩＰｖ４）を行い（ステップ１２０６）、ＩＰｖ４パケットを閲覧要求元のユーザ端末宛に送信する（ステップ１２０７）。
【００３７】
図１３は、プロトコル変換（ＩＰｖ６→ＩＰｖ４）の手順を示すフローチャートである。
【００３８】
制御部７３に備えるプロセッサ７１０は、例えば、コンテンツサーバＡからＩＰｖ６網インタフェース７１を介してＩＰｖ６パケット（例えば、宛先アドレス：３ｆｆｅ：：１）を受信すると（ステップ１３００）、そのパケットデータの誤りチェックを行う（ステップ１３０１）。プロセッサ７１０は、データ誤りがなければ、上記ＩＰｖ６アドレス（３ｆｆｅ：：１）に基づいて、アドレス変換テーブル７１２を検索する（ステップ１３０２）。次に、プロセッサ７１０は、一致するＩＰｖ６アドレスがあれば、ＩＰｖ４アドレスの有無をチェックする（ステップ１３０３）。プロセッサ７１０は、ＩＰｖ４アドレスがあれば（図８、例えば、１０．０．０．１）、そのＩＰｖ４アドレスをヘッダに含むＩＰｖ４パケットに変換して（ステップ１３０４）、ルーティング部７３に出力する。上記ＩＰｖ４パケットは、ＩＰｖ４網インタフェース７１、ＩＰｖ４網１４を介してユーザ端末１６−１に送信される（図１４）。ステップ１３０１において、プロセッサ７１０は、データ誤りがあれば、ＩＰｖ６パケットを廃棄する（ステップ１３０８）。
【００３９】
又、上記ステップ１３０２において、一致する仮想ＩＰｖ６アドレスがなければ、例えば、プロセッサ７１０は、ＩＰｖ４アドレスの有無をＤＮＳサーバ１５に問い合わせる（ステップ１３０５）。プロセッサ７１０は、ＤＮＳサーバ１５から返信があれば（例えば、ＩＰｖ４アドレス：10.0.0.1）、その返信データのエラーチェックを行う（ステップ１３０６）。プロセッサ７１０は、エラーがなければ、上記ＩＰｖ４アドレス（10.0.0.1）をアドレス変換テーブル７１２に登録する（ステップ１３０７）。次に、プロセッサ７１０は、上記ＩＰｖ６パケットを、上位ＩＰｖ４アドレスをヘッダに含むＩＰｖ４パケットに変換して（ステップ１３０４）、ルーティング部７３に出力する。なお、プロセッサ７１０は、上記ステップ１３０５〜ステップ１３０７における論理が不成立の場合には、ＩＰｖ６パケットを廃棄する（ステップ１３０８）。
【００４０】
【発明の効果】
本発明によれば、ＩＰｖ４からＩＰｖ６への移行期において、既存のIPｖ４網ユーザは、ＩＰｖ６網を適用するコンテンツプロバイダからコンテンツ配信サービスを受けることができる。
【００４１】
又、本発明によれば、ＩＰｖ４からＩＰｖ６への移行期において、ＩＰｖ６を適用するコンテンツプロバイダ、通信事業者は、既存ＩＰｖ４網ユーザにコンテンツを提供できるので、一定の収入源を確保できる。
【図面の簡単な説明】
【図１】  本発明による通信システム１の構成を示す図。
【図２】  コンテンツサーバ１０の構成を示すブロック図。
【図３】  コンテンツデータベース２２の構成を示す図。
【図４】  コンテンツ宛先リスト２３の構成を示す図。
【図５】  コンテンツ管理サーバ１２の構成を示すブロック図。
【図６】  コンテンツ情報管理データベース５２の構成を示す図。
【図７】  通信装置１３の構成を示すブロック図。
【図８】  アドレス変換テーブル７１２の構成を示す図。
【図９】  コンテンツ登録テーブル７１３の構成を示す図。
【図１０】  ユーザ名８００及び端末名８０１をアドレス変換テーブル７１２に登録する手順を示す図。
【図１１】  コンテンツ情報をユーザ端末１６に送信する手順を示す図。
【図１２】  登録ユーザが、コンテンツ配信を受ける手順を示す図。
【図１３】  プロトコル変換（ＩＰｖ６→ＩＰｖ４）の手順を示すフローチャート。
【図１４】  パケット変換の様子を表す図。
【符号の説明】
１０…コンテンツサーバ、１１…ＩＰｖ６網、１２…コンテンツ管理サーバ、１３…通信装置、１４…ＩＰｖ４網、１５…ＤＮＳ、１６…ユーザ端末、２０、５０…プロセッサ、２１、５１、７１１…プログラム記憶部、２２…コンテンツデータベース、２３…コンテンツ宛先リスト、２４、５３、７０…ＩＰｖ６網インタフェース、２５…外部インタフェース、５２…コンテンツ情報管理データベース、７１…ＩＰｖ４網インタフェース、７２…ルーティング部、７３…制御部、７１２…アドレス変換テーブル、７１３…コンテンツ登録テーブル。
【図１】
0003893978.tif 000002
【図２】
0003893978.tif 000003
【図３】
0003893978.tif 000004
【図４】
0003893978.tif 000005
【図５】
0003893978.tif 000006
【図６】
0003893978.tif 000007
【図７】
0003893978.tif 000008
【図８】
0003893978.tif 000009
【図９】
0003893978.tif 000010
【図１０】
0003893978.tif 000011
【図１１】
0003893978.tif 000012
【図１２】
0003893978.tif 000013
【図１３】
0003893978.tif 000014
【図１４】
0003893978.tif 000015